(57)【要約】【課題】ＬＥＤ表示部の明るさを調節することにより、消費電力を削減できる浴室暖房乾燥機を提供することを目的とする。【解決手段】運転モードを設定する操作部７および運転時間を表示するＬＥＤ表示部８とを設けた制御手段９と、制御手段９に配設される明るさ調節手段１０とを備え、制御手段９は浴室外に設け、ＬＥＤ表示部８の明るさを、明るさ調節手段１０により調節することにより、ＬＥＤ表示部８による諸費電力を削減できる浴室暖房乾燥機が得られる。【選択図】図１
2006284048.tif 000002
【特許請求の範囲】
【請求項１】
換気ファンと循環ファンおよび循環風路に設けられる加熱手段を内部に設け、浴室の天井に設置される本体と、この本体に接続され前記換気ファンと循環ファンおよび加熱手段の運転モードを設定する操作部および、運転時間を表示するＬＥＤ表示部とを設けた制御手段と、この制御手段に配設される明るさ調節手段とを備え、前記制御手段は浴室外に設け、前記ＬＥＤ表示部の明るさを、前記明るさ調節手段の調節により行なう構成とした浴室暖房乾燥機。
【請求項２】
本体の内部に設けた換気ファンと循環ファンおよび加熱手段の運転モードを設定する操作部と運転時間を表示するＬＥＤ表示部および明るさ調節手段を設けた制御手段を介して、前記ＬＥＤ表示部の明るさを、前記明るさ調節手段により調節できるように制御する浴室暖房乾燥機の制御方法。
【請求項３】
運転モードを設定する操作部および運転時間を表示するＬＥＤ表示部を備えた制御手段に照度検知手段を設けた請求項１記載の浴室暖房乾燥機。
【請求項４】
運転モードを設定する操作部と運転時間を表示するＬＥＤ表示部および照度検知手段を設けた制御手段を介し、前記照度検知手段で検知した明るさに応じて前記ＬＥＤ表示部の明るさを制御する請求項２記載の浴室暖房乾燥機の制御方法。
【請求項５】
運転モードを設定する操作部および運転時間を表示するＬＥＤ表示部を備えた制御手段に輝度設定手段を設けた請求項１記載の浴室暖房乾燥機。
【請求項６】
運転モードを設定する操作部と運転時間を表示するＬＥＤ表示部および輝度設定手段を設けた制御手段を介し、前記ＬＥＤ表示部の明るさを、前記輝度設定手段により調節するように制御する請求項２記載の浴室暖房乾燥機の制御方法。
【請求項７】
運転モードを設定する操作部とおよび運転時間を表示するＬＥＤ表示部を備えた制御手段に輝度表示手段を設けた請求項１、３、または５記載の浴室暖房乾燥機。
【請求項８】
運転モードを設定する操作部と運転時間を表示するＬＥＤ表示部および輝度表示手段を設けた制御手段を介し、前記輝度表示手段により輝度の調節レベルを表示するように制御する請求項２、４、または６記載の浴室暖房乾燥機の制御方法。
【請求項９】
運転モードを設定する操作部および運転時間を表示するＬＥＤ表示部を備えた制御手段にＬＥＤ表示部の表示選択手段を設けた請求項１、３、５、または７記載の浴室暖房乾燥機。
【請求項１０】
運転モードを設定する操作部と運転時間を表示するＬＥＤ表示部およびＬＥＤ表示部の表示選択手段を設けた制御手段を介し、前記表示選択手段により前記ＬＥＤ表示部を表示するか、しないかのように制御する請求項２、４、６、または８記載の浴室暖房乾燥機の制御方法。
【発明の詳細な説明】
【技術分野】
【０００１】
本発明は、浴室内の暖房または浴室内に吊り下げた衣類を乾燥する浴室暖房乾燥機に関する。
【背景技術】
【０００２】
従来、この種の浴室暖房乾燥機の一例として表示部を設けた浴室暖房機が知られている（特許文献１参照）。
【０００３】
以下、その浴室暖房乾燥機について図１０および図１１を参照しながら説明する。
【０００４】
図に示すように、浴室の照明の点灯、消灯を検知する照明検知手段１０１と、表示輝度変更部１０２を表示制御部１０３内部にソフトウェア処理にて実現するように設け、浴室の照明が点灯されると照明検知手段１０１で検知した照明検知信号が表示制御部１０３に出力され、表示制御部１０３は照明検知信号が出力されている場合のみ表示輝度変更部１０２に表示部１０４のＬＥＤドットの通電時間を長くするように制御し、表示部１０４の輝度が向上するように構成している。
【特許文献１】特開２００２−２５７４０１号公報（[００３５]、図４、図７）
【発明の開示】
【発明が解決しようとする課題】
【０００５】
このような従来の浴室暖房乾燥機では、浴室の照度を検出して信号を出力する即ち浴室の照明が点灯することにより、周囲が明るくなることにより、表示部１０４の相対的な輝度が低下するのを防止するために、輝度を増加しているので、消費電力が増加するという課題があり、表示部１０４のＬＥＤの輝度を調節して消費電力を削減することが要求されている。
【０００６】
本発明は、このような従来の課題を解決するものであり、ＬＥＤ表示部の明るさを調節することにより、消費電力を削減できる浴室暖房乾燥機を提供することを目的としている。
【課題を解決するための手段】
【０００７】
本発明の浴室暖房乾燥機は上記目的を達成するために、換気ファンと循環ファンおよび循環風路に設けられる加熱手段を内部に設け、浴室の天井に設置される本体と、この本体に接続され、前記換気ファンと循環ファンおよび加熱手段の運転モードを設定する操作部および運転時間を表示するＬＥＤ表示部とを設けた制御手段と、この制御手段に配設される明るさ調節手段とを備え、前記制御手段は浴室外に設け、前記ＬＥＤ表示部の明るさを、前記明るさ調節手段の調節により行なう構成としたものである。
【０００８】
この手段により、必要に応じてＬＥＤの明るさを調節し消費電力を削減できる浴室暖房乾燥機が得られる。
【０００９】
また、他の手段は、本体の内部に設けた換気ファンと循環ファンおよび加熱手段の運転モードを設定する操作部と運転時間を表示するＬＥＤ表示部および明るさ調節手段を設けた制御手段を介し、前記ＬＥＤ表示部の明るさを、前記明るさ調節手段により調節できるように制御するものである。
【００１０】
この手段により、必要に応じてＬＥＤ表示部の明るさを調節し、消費電力を削減できるように制御できる浴室暖房乾燥機の制御方法が得られる。
【００１１】
また他の手段は、運転モードを設定する操作部および運転時間を表示するＬＥＤ表示部を備えた制御手段に照度検知手段を設けたものである。
【００１２】
この手段により、人が手間を掛けることなくＬＥＤ表示部の明るさを自動に調節することができ、消費電力を削減できる浴室暖房乾燥機が得られる。
【００１３】
また、他の手段は、運転モードを設定する操作部と運転時間を表示するＬＥＤ表示部および照度検知手段を設けた制御手段を介し、前記照度検知手段で検知した明るさに応じて前記ＬＥＤ表示部の明るさを制御するものである。
【００１４】
この手段により、人が手間を掛けることなく、ＬＥＤ表示部の明るさを自動で調節し、消費電力を削減できるように制御できる浴室暖房乾燥機の制御方法が得られる。
【００１５】
また、他の手段は、運転モードを設定する操作部および運転時間を表示するＬＥＤ表示部を備えた制御手段に輝度設定手段を設けたものである。
【００１６】
この手段により、ＬＥＤの明るさを自在に手動で調節することができ、消費電力を削減できる浴室暖房乾燥機が得られる。
【００１７】
また、他の手段は、運転モードを設定する操作部と運転時間を表示するＬＥＤ表示部および輝度設定手段を設けた制御手段を介し、前記ＬＥＤ表示部の明るさを、前記輝度設定手段により調節するように制御するものである。
【００１８】
この手段により、ＬＥＤ表示部の明るさを自在に手動で調節して消費電力を削減できるように制御できる浴室暖房乾燥機の制御方法が得られる。
【００１９】
また、他の手段は、運転モードを設定する操作部および運転時間を表示するＬＥＤ表示部を備えた制御手段に輝度表示手段を設けたものである。
【００２０】
この手段により、ＬＥＤ表示部の明るさのレベルが容易に確認できる浴室暖房乾燥機が得られる。
【００２１】
また、他の手段は、運転モードを設定する操作部と運転時間を表示するＬＥＤ表示部および輝度表示手段を設けた制御手段を介し、前記輝度表示手段により輝度の調節レベルを表示するように制御するものである。
【００２２】
この手段により、ＬＥＤ表示部の明るさのレベルが容易に確認できるように制御できる浴室暖房乾燥機の制御方法が得られる。
【００２３】
また、他の手段は、運転モードを設定する操作部と運転時間を表示するＬＥＤ表示部を備えた制御手段にＬＥＤ表示部の表示選択手段を設けたものである。
【００２４】
この手段により、表示選択手段でもって、必要に応じてＬＥＤを点灯させなくすることができ、ＬＥＤ表示部の消費電力を削減できる浴室暖房乾燥機が得られる。
【００２５】
また、他の手段は、運転モードを設定する操作部と運転時間を表示するＬＥＤ表示部およびＬＥＤ表示部の表示選択手段を設けた制御手段を介し前記表示選択手段により前記ＬＥＤ表示部を表示するか、しないかに制御するものである。
【００２６】
この手段により、必要に応じてＬＥＤを点灯させなくすることができ、ＬＥＤ表示部の消費電力を削減できるように制御する浴室暖房乾燥機の制御方法が得られる。
【発明の効果】
【００２７】
本発明によれば、必要に応じてＬＥＤの明るさを調節し、消費電力を削減できるという効果のある浴室暖房乾燥機を提供できる。
【００２８】
また、必要に応じてＬＥＤ表示部の明るさを調節し、消費電力を削減できるように制御できるという効果のある浴室暖房乾燥機の制御方法を提供できる。
【００２９】
また、ＬＥＤ表示部の明るさのレベルが容易に確認できるという効果のある浴室暖房乾燥機が提供できる。
【００３０】
また、ＬＥＤ表示部の明るさのレベルが容易に確認できるように制御できるという効果のある浴室暖房乾燥機の制御方法を提供できる。
【発明を実施するための最良の形態】
【００３１】
本発明の請求項１記載の発明は、換気ファンと循環ファンおよび循環風路に設けられる加熱手段を内部に設け、浴室の天井に設置される本体と、この本体に接続され、前記換気ファンと循環ファンおよび加熱手段の運転モードを設定する操作部および運転時間を表示するＬＥＤ表示部とを設けた制御手段と、この制御手段に配設される明るさ調節手段とを備え、前記制御手段は、浴室外に設け、前記ＬＥＤ表示部の明るさを、前記明るさ調節手段の調節により行うものであり、制御手段の設けられる浴室外は通常脱衣室であることもあり、人が一度タイマー設定しても常時その場所にいないことや、暗い空間が多いためＬＥＤの表示については点灯していればよい程度であるという固有の特徴があるため、ＬＥＤ表示部の駆動回路に抵抗の異なる２種類の抵抗を設け、異なる値の抵抗を切換接続するようにしてＬＥＤに流れる電流を調節し、明るさを調節できることで、必要に応じてＬＥＤの明るさを調節し消費電力を削減できるという作用を有する。
【００３２】
また、請求項２記載の発明は、本体の内部に設けた換気ファンと循環ファンおよび加熱手段の運転モードを設定する操作部と運転時間を表示するＬＥＤ表示部および明るさ調節手段を設けた制御手段を介し、前記ＬＥＤ表示部の明るさを、前記明るさ調節手段により調節できるように制御するものであり、ＬＥＤに流れる電流を減らすことにより、ＬＥＤの輝度を調節することができ、消費電力を削減することができるという作用を有する。
【００３３】
また、請求項３記載の発明は、運転モードを設定する操作部および運転時間を表示するＬＥＤ表示部を備えた制御手段に照度検知手段を設けたものであり、照度検知手段により照度検出手信号が入力されれば、即ち夜間であることを検知すれば、周囲が暗いため相対的にＬＥＤの輝度を低下させても充分ＬＥＤの表示が確認できることとなり、ＬＥＤの輝度を調節することで消費電力を削減できるという作用を有する。
【００３４】
また、請求項４記載の発明は、運転モードを設定する操作部と運転時間を表示するＬＥＤ表示部および照度検知手段を設けた制御手段を介し、前記照度検知手段で検知した明るさに応じて前記ＬＥＤ表示部の明るさを制御するものであり、照度検知信号が入力されることにより、夜間であることが検知され周囲が暗いため相対的にＬＥＤの輝度を低下させても充分ＬＥＤの表示が確認できることとなり、制御手段を介して、ＬＥＤ表示部の明るさが自動的に調節され消費電力を削減できるという作用を有する。
【００３５】
また、請求項５記載の発明は、運転モード設定する操作部および運転時間を表示するＬＥＤ表示部を備えた制御手段に輝度設定手段を設けたものであり、ＬＥＤに流す電流を可変抵抗等により人が調節し輝度を設定することで消費電力を削減できるという作用を有する。
【００３６】
また、請求項６記載の発明は、運転モードを設定する操作部と運転時間を表示するＬＥＤ表示部および輝度設定手段を設けた制御手段を介し、前記ＬＥＤ表示部の明るさを、前記輝度設定手段により調節するように制御するものであり、ＬＥＤに流す電流を可変抵抗等により調節し輝度を設定することで、制御手段を介し、人が手動でＬＥＤの明るさを調節することができ消費電力を削減できるという作用を有する。
【００３７】
また、請求項７記載の発明は、運転モードを設定する操作部および運転時間を表示するＬＥＤ表示部を備えた制御手段に輝度表示手段を設けたものであり、ＬＥＤの輝度を調節することにより、その明るさのレベルが最小から最大までのうちどのレベルを容易に確認することができるという作用を有する。
【００３８】
また、請求項８記載の発明は、運転モードを設定する操作部と運転時間を表示するＬＥＤ表示部および輝度表示手段を設けた制御手段を介し、前記輝度表示手段により輝度の調節レベルを表示するように制御するものであり、ＬＥＤの輝度を調節することにより、制御手段を介して、輝度表示手段により、その明るさのレベルが表示されＬＥＤの輝度のレベルが容易に確認できるという作用を有する。
【００３９】
また、請求項９記載の発明は、運転モードを設定する操作部および運転時間を表示するＬＥＤ表示部を備えた制御手段にＬＥＤ表示部の表示選択手段を設けたものであり、運転モードを設定後、表示選択手段の信号がオンであれば、表示しないこととして、ＬＥＤは点灯しない状態が維持され、表示選択手段の信号がオフの場合にはＬＥＤを点灯させ、必要に応じてＬＥＤを点灯させなくすることができ、ＬＥＤ表示部の消費電力を削減できるという作用を有する。
【００４０】
また、請求項１０記載の発明は、運転モードを設定する操作部と、運転時間を表示するＬＥＤ表示部およびＬＥＤ表示部の表示選択手段を設けた制御手段を介し、前記表示選択手段により前記ＬＥＤ表示部を表示するか、しないかのように制御するものであり、運転モード設定後、表示選択手段の信号がオンであれば表示しないこととして制御手段を介しＬＥＤを点灯しない状態を維持し、表示選択手段により表示することを選択すれば表示選択手段の信号がオフとなり制御手段を介してＬＥＤを点灯するかしないかを選択することができ、必要に応じてＬＥＤを点灯させなくすることができ、ＬＥＤ表示部の消費電力を削減できるという作用を有する。
【００４１】
以下、本発明の実施の形態について図面を参照しながら説明する。
【００４２】
（実施の形態１）
図１〜図３に示すように、換気ファン１と循環ファン２および循環風路に設けられる加熱手段３を内部に設け、浴室４の天井５に設置される本体６と、本体６に接続され換気ファン１と循環ファン２および加熱手段３の運転モードを設定する操作部７および運転時間を表示するＬＥＤ表示部８とを設けた制御手段９と、制御手段９に配設される明るさ調節手段１０を備え、制御手段９は浴室４外に設け、ＬＥＤ表示部８の明るさを、明るさ調節手段１０により調節するように設ける。
【００４３】
また、明るさ調節手段１０は、ＬＥＤ８ａに流す電流を制限する駆動回路からなり、駆動回路はＬＥＤ８ａに流す電流を制限する抵抗値の異なる２つの抵抗Ｒ１と抵抗Ｒ２がＬＥＤ８ａにＣＰＵ（マイコン）にそれぞれ接続する回路で形成し、抵抗Ｒ１は抵抗Ｒ２より小さい値とし、抵抗Ｒ１よりなるＬＥＤ出力のポート１と、抵抗Ｒ２よりなるＬＥＤ出力のポート２により構成する。
【００４４】
上記構成において、ＬＥＤ表示部８の明るさを調節するときには、明るさ調節手段のポート１の駆動回路に設けた抵抗Ｒ１を介してＬＥＤ８ａを点灯している場合には、抵抗Ｒ１はポート２に設けた抵抗Ｒ２より抵抗値が小さいためＣＰＵを介してＬＥＤ８ａに流れる電流が大きくなり、ＬＥＤ８ａの明るさは明るくなり、ポート２の駆動回路に設けた抵抗Ｒ２に調節した場合には抵抗値が大きくなり、ＬＥＤ８ａに流れる電流が小さくなりＬＥＤ８ａの明るさは暗くなる。また、通常の明るさを得る場合には、抵抗Ｒ１を使用したポート１の駆動回路を用いる。
【００４５】
このように実施の形態１の発明によれば、運転モードを設定する操作部７および運転時間を表示するＬＥＤ表示部８とを設けて浴室４外に設けた制御手段９と、制御手段９に配設される明るさ調節手段１０を設け、ＬＥＤ表示部８の明るさを、明るさ調節手段１０の調節により行なうことにより、必要に応じてＬＥＤ表示部８の明るさを調節することができ、そのことにより、消費電力を削減できることとなる。
【００４６】
また、運転モードを設定する操作部７と運転時間を表示するＬＥＤ表示部８および明るさ調節手段１０を設けた制御手段９を介し、ＬＥＤ表示部８の明るさを、明るさ調節手段１０により調節するように制御するので、ＬＥＤ８ａに流れる電流を加減することにより、ＬＥＤ８ａの輝度を調節することができ、必要に応じて消費電力を削減することができるように制御できる制御方法が得られる。
【００４７】
（実施の形態２）
図４および図５に示すように、運転モードを設定する操作部７Ａおよび運転時間を表示するＬＥＤ表示部８Ａを備えた制御手段９Ａに照度検知手段１１を設け構成する。
【００４８】
上記構成において、操作部７Ａを操作して運転を開始するため、ステップ１３で運転ＳＷをＯＮし、ステップ１４で照度検知手段１１により照度が検出され、ステップ１５で照度ありと判定されると、ステップ１６で抵抗値の小さい駆動回路のＬＥＤ出力のポート１がＯＮされ、ＣＰＵを介してＬＥＤに通電され、ＬＥＤは明るくなりＬＥＤ表示部８Ａは明るく表示される。
【００４９】
また、ステップ１５で照度なし（夜間）と判定された場合には、ステップ１７で抵抗値の大きい駆動回路のＬＥＤ出力のポート２がＯＮされ、ＣＰＵを介してＬＥＤに通電され、ＬＥＤは暗くなり、ＬＥＤ表示部８Ａは暗い状態に表示される。
【００５０】
このように実施の形態２の発明によれば、運転モードを設定する操作部７Ａおよび運転時間を表示するＬＥＤ表示部８Ａを制御手段９Ａに照度検知手段１１を設けたので、照度検知手段１１により照度検知信号が入力されなければ夜間であることが検知され、周囲が暗いため相対的にＬＥＤの輝度を低下させても、充分ＬＥＤの表示が確認できることとなり、人が手間を掛けることなく表示部の明るさを自動で調節することで消費電力を削減できることとなる。
【００５１】
また、運転モードを設定する操作部７Ａと運転時間を表示するＬＥＤ表示部８Ａおよび照度検知手段１１を設けた制御手段９Ａを介し、照度検知手段１１で検知した明るさに応じてＬＥＤ表示部８Ａの明るさを制御するので、人が手間を掛けることなくＬＥＤ表示部８Ａの明るさを自動的に調節することで、消費電力を削減するように制御する制御方法を得ることができる。
【００５２】
（実施の形態３）
図６および図７に示すように、運転モードを設定する操作部７Ｂおよび運転時間を表示するＬＥＤ表示部８Ｂを備えた制御手段９Ｂに輝度設定手段１８を設け、輝度設定手段１８はＬＥＤ８ｂを駆動する駆動回路からなり、ＬＥＤ８ｂに流す電流を制限する抵抗を可変抵抗Ｒ１とし、その両端をＬＥＤ８ｂとＣＰＵ（マイコン）にそれぞれ接続するように構成する。
【００５３】
上記構成において、明るさを調節したい場合は、可変抵抗Ｒ１を手動で回転させることで抵抗値が変化し、ＬＥＤに流れる電流を調節することとなり、つまり、ＬＥＤ８ｂの輝度を調節することができ、ＬＥＤ表示部８Ｂの明るさを手動で自在に調節することができる。
【００５４】
このように実施の形態３の発明によれば、運転モードを設定する操作部７Ｂおよび運転時間を表示するＬＥＤ表示部８Ｂを備えた制御手段９Ｂに輝度設定手段１８を設けたので、ＬＥＤ表示部８Ｂの明るさを手動で調節することで消費電力を削減できることとなる。
【００５５】
また、運転モードを設定する操作部７Ｂと運転時間を表示するＬＥＤ表示部８Ｂの明るさを、輝度設定手段１８により調節するように制御するので、ＬＥＤ表示部８Ｂの明るさを手動で調節することで、消費電力を削減できるように制御する制御方法が得られることとなる。
【００５６】
（実施の形態４）
図８に示すように、運転モードを設定する操作部７Ｃおよび運転時間を表示するＬＥＤ表示部８Ｃを備えた制御手段９Ｃに、ＬＥＤ表示部８Ｃに明るさのレベルを段階的に（例へば５段階）に表示する輝度表示手段１９を設け構成する。
【００５７】
上記構成において、ＬＥＤ表示部８Ｃの輝度が調節されることにより、その明るさのレベルが最小から最大までのうちどのレベルであるかを確認できる。
【００５８】
このように実施の形態４の発明によれば、運転モードを設定する操作部７Ｃおよび運転時間を表示するＬＥＤ表示部８Ｃを備えた制御手段９ＣにＬＥＤ表示部８Ｃの明るさのレベルを段階的に表示する輝度表示手段１９を設けたので、ＬＥＤ表示部８Ｃの明るさを調節された段階がどの段階であるかが輝度表示手段１９により容易に確認することができる。
【００５９】
また、運転モードを設定する操作部７Ｃと運転時間を表示するＬＥＤ表示部８Ｃおよび輝度表示手段１９を設けた制御手段９Ｃを介し、輝度表示手段１９により輝度の調節レベルを表示するように制御することでＬＥＤ表示部８Ｃの明るさレベルを容易に確認することができるように制御する制御方法が得られる。
【００６０】
（実施の形態５）
図９に示すように、運転モードを設定する操作部７Ｄおよび運転時間を表示するＬＥＤ表示部８Ｄを備えた制御手段９Ｄに、ＬＥＤ表示部８ＤにＬＥＤを表示するか、しないかを選択できる表示選択手段２０（スイッチ）を設け構成する。
【００６１】
上記構成において、運転モードを設定する操作部７Ｄを操作して運転モードの設定後、表示選択手段２０の信号がＯＮであれば、ＬＥＤ表示部８Ｄを点灯しないこととして駆動回路に設けたＣＰＵ（図示せず）の出力をＯＮしないこととするため、ＬＥＤ表示部８Ｄは点灯しない状態で維持される。また、一方表示選択手段２０により、ＬＥＤ表示部８Ｄにより表示することを選択すれば、表示選択手段２０の信号がＯＦＦとなり、ＣＰＵの出力をＯＮすることとなり、ＬＥＤ表示部８Ｄを点灯するかしないかを選択することができる。
【００６２】
このように実施の形態５の発明によれば、運転モードを設定する操作部７Ｄおよび運転時間を表示するＬＥＤ表示部;８Ｄを備えた制御手段９ＤにＬＥＤ表示部８Ｄの表示選択手段２０を設けたので、必要に応じてＬＥＤを点灯させることができ、ＬＥＤ表示部８Ｄにおける消費電力を削減することができる。
【００６３】
また、運転モードを設定する操作部７Ｄと運転時間を表示するＬＥＤ表示部８ＤおよびＬＥＤ表示部８Ｄの表示選択手段２０を設けた制御手段９Ｄを介し、表示選択手段２０によりＬＥＤ表示部８Ｄを表示するか、しないかを選択するように制御するので、表示選択手段２０により必要に応じてＬＥＤを点灯させなくすることができ、ＬＥＤ表示部８Ｄの消費電力を削減できるように制御することができる制御方法を得ることができる。
【産業上の利用可能性】
【００６４】
ＬＥＤ表示部の明るさを調節することができることから、ＬＥＤ表示部を設けた各種機器の用途に適用できる。
【図面の簡単な説明】
【００６５】
【図１】本発明の実施の形態１の浴室暖房乾燥機の制御手段の構成を示すブロック図
【図２】同浴室暖房乾燥機を浴室の天井に設置した状態を示す断面図
【図３】同浴室暖房乾燥機のＬＥＤの駆動回路図
【図４】本発明の実施の形態２の浴室暖房乾燥機の制御手段の構成を示すブロック図
【図５】同浴室暖房乾燥機の作動を示すフローチャート
【図６】本発明の実施の形態３の浴室暖房乾燥機の制御手段の構成を示すブロック図
【図７】同浴室暖房乾燥機のＬＥＤの駆動回路図
【図８】本発明の実施の形態４の浴室暖房乾燥機の制御手段の構成を示すブロック図
【図９】本発明の実施の形態５の浴室暖房乾燥機の制御手段の構成を示すブロック図
【図１０】従来の浴室暖房乾燥機の外観図
【図１１】同作動状態を示すフローチャート
【符号の説明】
【００６６】
１    換気ファン
２    循環ファン
３    加熱手段
４    浴室
５    天井
６    本体
７    操作部
７Ａ  操作部
７Ｂ  操作部
７Ｃ  操作部
７Ｄ  操作部
８    ＬＥＤ表示部
８Ａ  ＬＥＤ表示部
８Ｂ  ＬＥＤ表示部
８Ｃ  ＬＥＤ表示部
８Ｄ  ＬＥＤ表示部
９    制御手段
９Ａ  制御手段
９Ｂ  制御手段
９Ｃ  制御手段
９Ｄ  制御手段
１０  明るさ調節手段
１１  照度検知手段
１８  輝度設定手段
１９  輝度表示手段
２０  表示選択手段
【図１】
2006284048.tif 000003
【図２】
2006284048.tif 000004
【図３】
2006284048.tif 000005
【図４】
2006284048.tif 000006
【図５】
2006284048.tif 000007
【図６】
2006284048.tif 000008
【図７】
2006284048.tif 000009
【図８】
2006284048.tif 000010
【図９】
2006284048.tif 000011
【図１０】
2006284048.tif 000012
【図１１】
2006284048.tif 000013